(57)【要約】【課題】小径で曲げても曲げ癖がつかず、破損もしない光ファイバケーブルを提供する。【解決手段】光ファイバケーブル１は、光ファイバ心線２と、光ファイバ心線２の延在方向と同方向に延在するように並べられた少なくとも一対の抗張力体３と、光ファイバ心線２及び一対の抗張力体３を被覆する外被４と、を備え、抗張力体３は、複数の高強度繊維を撚り合わせた撚り線により構成され、一対の抗張力体３は、延在方向と直交するケーブル断面Ｓにおいて光ファイバ心線２を挟むように配置され、撚り線は、圧縮により座屈するように形成されている。【選択図】図１
2019211585.tif 000002
【特許請求の範囲】
【請求項１】
光ファイバ心線と、
前記光ファイバ心線の延在方向と同方向に延在するように並べられた少なくとも一対の抗張力体と、
前記光ファイバ心線及び前記一対の抗張力体を被覆する外被と、を備え、
前記抗張力体は、複数の高強度繊維を撚り合わせた撚り線により構成され、
前記一対の抗張力体は、前記延在方向と直交するケーブル断面において前記光ファイバ心線を挟むように配置され、
前記撚り線は、圧縮により座屈するように形成されている、光ファイバケーブル。
【請求項２】
前記抗張力体を前記外被に固定する接着層を有している、請求項１に記載の光ファイバケーブル。
【請求項３】
前記光ファイバ心線は、ガラス部分を含み
前記ケーブル断面は、短手方向と長手方向を有する形状に構成され、
前記抗張力体の少なくとも一部は、前記ガラス部分の外径表面に比べて、前記ケーブル断面の中心を通る前記長手方向に延びる直線からの前記短手方向の距離が大きい位置に配置されている、請求項１または請求項２に記載の光ファイバケーブル。
【請求項４】
前記抗張力体と前記光ファイバ心線とは、その中心が前記長手方向に一列となるように配列され、
前記抗張力体の外形寸法は、前記ガラス部分の外形寸法より大きい、請求項３記載の光ファイバケーブル。
【請求項５】
前記抗張力体は二対設けられ、
前記抗張力体の一方の対は、前記光ファイバ心線の中心軸を含み前記長手方向に延在する仮想平面の一方の側に位置し、
前記抗張力体の他方の対は、前記光ファイバ心線の前記中心軸を含み前記長手方向に延在する仮想平面の他方の側に位置する請求項３に記載の光ファイバケーブル。
【請求項６】
前記光ファイバ心線を前記外被に固定する接着層を有している、請求項１から請求項５のいずれか一項に記載の光ファイバケーブル。
【請求項７】
前記外被は、前記ケーブル断面における外形が楕円形状である、請求項１から請求項６のいずれか一項に記載の光ファイバケーブル。
【請求項８】
前記光ファイバ心線は、前記ケーブル断面において、曲げ歪みの中心軸よりも曲げ内側に位置する、請求項１から請求項７のいずれか一項に記載の光ファイバケーブル。
【発明の詳細な説明】
【技術分野】
【０００１】
本発明は、光ファイバケーブルに関する。
【背景技術】
【０００２】
光ファイバ心線と、抗張力体と、光ファイバ心線及び抗張力体を被覆する外被とを備えた光ファイバケーブル（特許文献１〜４）が開示されている。これらの光ファイバケーブルの抗張力体には、鋼線、ポリエチレンで被覆したＦＲＰ（繊維強化プラスチックＦｉｂｅｒ−Ｒｅｉｎｆｏｒｃｅｄ  Ｐｌａｓｔｉｃｓ）、あるいは鋼撚線またはＦＲＰの撚線が使用されている。
【先行技術文献】
【特許文献】
【０００３】
【特許文献１】特開２００５−１８９６０８号公報
【特許文献２】特開２００５−３２６６２２号公報
【特許文献３】特開２００６−２５１７６９号公報
【特許文献４】実用新案登録第３１６６２４５号公報
【発明の概要】
【発明が解決しようとする課題】
【０００４】
このような光ファイバケーブルは、使用において、小径で（急峻な角度で）曲げられることがある。
しかし、鋼線で構成されている抗張力体は、小径で曲げられることにより曲げ癖がつき、その後の使用に支障をきたすおそれがあった。また、ＦＲＰで構成されている抗張力体は、小径に曲げられると破損の可能性があり、光ファイバケーブルは抗張力機能を失うおそれがあった。
【０００５】
本発明は、小径で曲げても十分な抗張力性機能を発揮する光ファイバケーブルを提供することを目的とする。
【課題を解決するための手段】
【０００６】
本発明の一態様に係る光ファイバケーブルは、
光ファイバ心線と、
前記光ファイバ心線の延在方向と同方向に延在するように並べられた少なくとも一対の抗張力体と、
前記光ファイバ心線及び前記一対の抗張力体を被覆する外被と、を備え、
前記抗張力体は、複数の高強度繊維を撚り合わせた撚り線により構成され、
前記一対の抗張力体は、前記延在方向と直交するケーブル断面において前記光ファイバ心線を挟むように配置され、
前記撚り線は、圧縮により座屈するように形成されている。
【発明の効果】
【０００７】
本発明によれば、小径で曲げても曲げ癖がつかず、破損もしない光ファイバケーブルを提供することができる。
【図面の簡単な説明】
【０００８】
【図１】本発明の一実施形態に係る光ファイバケーブルのケーブル断面の構成を示す図である。
【図２】図１に示す光ファイバケーブルを小径に曲げた状態を説明する図である。
【図３】図２に示す光ファイバケーブルに作用する応力を説明する図である。
【図４】ノッチを有する光ファイバケーブルのケーブル断面の構成を示す図である。
【図５】他の一実施形態に係る光ファイバケーブルの構成を示す断面図である。
【図６】図５に示す光ファイバケーブルに作用する応力を説明する図である。
【図７】ノッチを有する光ファイバケーブルのケーブル断面の構成を示す図である。
【図８】さらに他の一実施形態に係る光ファイバケーブルのケーブル断面の構成を示す図である。
【図９】ノッチを有する光ファイバケーブルのケーブル断面の構成を示す図である。
【発明を実施するための形態】
【０００９】
＜本発明の実施形態の概要＞
最初に本発明の実施形態を列記して説明する。
（１）本発明の一態様に係る光ファイバケーブルは、
光ファイバ心線と、
前記光ファイバ心線の延在方向と同方向に延在するように並べられた少なくとも一対の抗張力体と、
前記光ファイバ心線及び前記一対の抗張力体を被覆する外被と、を備え、
前記抗張力体は、複数の高強度繊維を撚り合わせた撚り線により構成され、
前記一対の抗張力体は、前記延在方向と直交するケーブル断面において前記光ファイバ心線を挟むように配置され、
前記撚り線は、圧縮により座屈するように形成されている。
【００１０】
上記構成の光ファイバケーブルによれば、光ファイバケーブルが小径に曲げられたとき、抗張力体は、曲げ歪みの中立面の曲げ内側で座屈し、曲げ歪みの中立面の曲げ外側で抗張力機能を発揮するので、抗張力体は、曲げ癖がつかず、破損もしない。これにより、小径で曲げても曲げ癖がつかず、破損もしない光ファイバケーブルを提供することができる。
【００１１】
（２）上記（１）に係る光ファイバケーブルにおいて、
前記抗張力体を前記外被に固定する接着層を有していてもよい。
【００１２】
上記構成によれば、抗張力体は、接着層を介して外被の変形に追従するので、抗張力体は抗張力性を発揮し易くなる。したがって、強度の高い光ファイバケーブルを実現できる。
【００１３】
（３）上記（１）または（２）に係る光ファイバケーブルにおいて、
前記光ファイバ心線は、ガラス部分を含み
前記ケーブル断面は、短手方向と長手方向を有する形状に構成され、
前記抗張力体の少なくとも一部は、前記ガラス部分の外径表面に比べて、前記ケーブル断面の中心を通る前記短手方向に延びる直線からの前記短手方向の距離が大きい位置に配置されていてもよい。
【００１４】
上記構成によれば、抗張力体の一部を構成する抗張力体を、ケーブル断面の曲げ歪みの中立面より光ファイバ心線の曲げ外側に配置させて、この一部に抗張力性を発揮させることができる。これにより光ファイバケーブルの曲げによる光ファイバ心線のガラス表面の伸び歪みを軽減し、破断や信頼性低下のリスクを軽減できる。
【００１５】
（４）上記（３）に係る光ファイバケーブルにおいて、
前記抗張力体と前記光ファイバ心線とは、その中心が前記長手方向に一列となるように配列され、
前記抗張力体の外形寸法は、前記ガラス部分の外形寸法より大きくてもよい。
【００１６】
上記構成によれば、抗張力体の一部を構成する抗張力体を、ケーブル断面の曲げ歪みの中立面より光ファイバ心線の曲げ外側に配置させる構造を好適に実現できる。
【００１７】
（５）上記（３）に係る光ファイバケーブルにおいて、
前記抗張力体は二対設けられ、
前記抗張力体の一方の対は、前記光ファイバ心線の中心軸を含み前記長手方向に延在する仮想平面の一方の側に位置し、
前記抗張力体の他方の対は、前記光ファイバ心線の前記中心軸を含み前記長手方向に延在する仮想平面の他方の側に位置してもよい。
【００１８】
上記構成によれば、光ファイバケーブルの曲げ内側と曲げ外側にバランスよく一対ずつ抗張力体を配置することができる。これにより、光ファイバケーブルに曲げが作用した場合に、曲げ外側の抗張力体が抗張力性を発揮する一方、曲げ内側の抗張力体は座屈する。したがって、光ファイバケーブルの曲げ歪みの中心面を、光ファイバ心線の中心軸よりも曲げの外側に移動させて、光ファイバ心線への伸縮歪みを低減させることができる。
【００１９】
（６）上記（１）から（５）のいずれか一つに係る光ファイバケーブルにおいて、
前記光ファイバ心線を前記外被に固定する接着層を有していてもよい。
【００２０】
上記構成によれば、低温環境下で外被は大きく収縮し、接着層も外被の収縮に追従するとき、光ファイバ心線は、延在する方向（光ファイバケーブルの光軸方向）に圧縮力がかかるが、光ファイバ心線が蛇行するような外被と光ファイバ心線の間の隙間が無いため、座屈することが防がれる。
【００２１】
（７）上記（１）から（６）のいずれか一つに係る光ファイバケーブルにおいて、
前記外被は、前記ケーブル断面における外形が楕円形状であってもよい。
【００２２】
上記構成によれば、ケーブル断面を扁平な形状とし、外被材料の使用量を削減することができる。
【００２３】
（８）上記（１）から（７）のいずれか一つに係る光ファイバケーブルにおいて、
前記光ファイバ心線は、前記ケーブル断面において、曲げ歪みの中立面よりも曲げ内側に位置していてもよい。
【００２４】
上記構成によれば、光ファイバ心線の全体が曲げ内側における応力（圧縮応力）を受けるので、光ファイバ心線の表面の伸び歪みを軽減し、破断や信頼性低下のリスクを軽減できる。
【００２５】
＜本発明の実施形態の詳細＞
本発明の実施形態に係る光ファイバケーブルの具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００２６】
（第一実施形態）
図１は、本発明の実施形態に係る光ファイバケーブル１のケーブル断面Ｓの構成を示す図である。図１に示すように、光ファイバケーブル１のケーブル断面Ｓは、短手方向Ａと長手方向Ｂとを有する矩形形状とされている。ケーブル断面Ｓ内には、光ファイバ心線２と、一対の抗張力体３と、外被４とが含まれている。また、光ファイバ心線２は、光ファイバケーブル１の延在方向（ケーブル断面Ｓと直交する方向）に延在するように、光ファイバケーブル１内に設けられている。
【００２７】
光ファイバ心線２は、長手方向Ｂに一列となるように四本設けられている。
各光ファイバ心線２は、それぞれ、ガラス部分２１を含む光ファイバと、光ファイバの周囲を被覆する被覆層２２を有している。ガラス部分２１は、コアと、コアより屈折率が低いクラッドと、コアとクラッドの境界付近に形成されるクラッドよりも屈折率が低いトレンチとを有している。本例では、光ファイバ心線２は、コアと、クラッドと、トレンチと、被覆層２２とを有する耐曲げ性強化ファイバである。
被覆層２２は、例えば紫外線硬化樹脂（ＵＶ樹脂）で形成されている。
【００２８】
光ファイバ心線２は、シングルモードファイバ（ＳＭＦ）、マルチモードファイバ（ＭＭＦ）のいずれであってもよい。ＳＭＦは、Ｇ．６５２、Ｇ．６５７規格に適合するものが好ましく、Ｇ．６５７．Ｂ２、Ｇ．６５７Ｂの規格に適合するものであればなお良い。ＭＭＦは、ＯＭ１〜ＯＭ４のＭＭＦ規格に適合するものであればなお良い。なお、ＯＭ１はＩＥＣ  ６０７９３−２−１０  Ｅｄ．６の  Ａ１ｂ、ＯＭ２はＩＥＣ  ６０７９３−２−１０  Ｅｄ．６の  Ａ１ａ．１、ＯＭ３はＩＥＣ  ６０７９３−２−１０  Ｅｄ．６の  Ａ１ａ．２、ＯＭ４はＩＥＣ  ６０７９３−２−１０  Ｅｄ．６の  Ａ１ａ．３である。また、光ファイバ心線２は、一例として、ガラス部分２１の直径が１２５μｍであり、光ファイバ心線２の外径は２５０μｍである。なお、光ファイバ心線２の外径は２５０μｍに限らず、例えば外径２００μｍであってもよい。
【００２９】
また、光ファイバ心線２の周囲には、光ファイバ心線２を外被４に固定する接着層２４が設けられている。接着層２４は、熱可塑性樹脂で形成されている。
【００３０】
抗張力体３は、光ファイバ心線２の延在する方向（ケーブル断面Ｓと直交する方向）に延在するように設けられており、ケーブル断面Ｓ内に一対設けられている。一対の抗張力体３と四本の光ファイバ心線２とは、その中心が長手方向Ｂに一列に位置するように配列されている。一対の抗張力体３は、ケーブル断面Ｓにおいて、光ファイバ心線２を挟むような位置に配置されている。
【００３１】
各抗張力体３は、それぞれ、複数の高強度繊維を撚り合わせた撚り線により構成されている。高強度繊維は、例えばアラミド繊維である。本例では、複数本の高強度繊維（例えば１６８０デシテックス）を集合させた束３１〜３７を７束集合させて、これらを一方向に撚り合わせて、１本の撚り線（抗張力体３）が形成されている。１本の抗張力体３は、例えば、撚り線の外接円の直径が１．６ｍｍの外形寸法に形成されている。高強度繊維の撚り合わせの方向は、Ｓ撚り、Ｚ撚りのいずれであってもよい。
【００３２】
このように形成された抗張力体３は、引張方向の力が作用した場合には抗張力性能を発揮する一方、圧縮方向の力が作用した場合には、対圧縮性を発揮しない、すなわち座屈するように構成されている。
【００３３】
また、抗張力体３の周囲には、抗張力体３と外被４とを接着する接着層３８が形成されている。接着層３８は、熱可塑性樹脂で形成されている。
【００３４】
抗張力体３の外形寸法Ｄ３は、光ファイバ心線２のガラス部分２１の外形寸法Ｄ４より大きくなるように形成されている。これにより、ケーブル断面Ｓの中心Ｃを通る長手方向Ｂに延びる直線ＣＬ１から抗張力体３の少なくとも一部（例えば、図１および図３の束３２において、符号３９で示す部分）までの短手方向Ａの距離をＤ１、ガラス部分２１の外径表面２１１から直線ＣＬ１までの短手方向Ａの距離をＤ２とするとき、距離Ｄ１は距離Ｄ２より大きくなる。
【００３５】
外被４は、光ファイバ心線２及び一対の抗張力体３を被覆するように構成されている。外被４は、一例として、ポリエチレン（ＰＥ）、難燃性ポリエチレン、ＰＶＣ（ポリ塩化ビニル）等の樹脂で形成されている。
【００３６】
次に本実施態様の作用を説明する。
【００３７】
直線状の光ファイバケーブル１を、図２のように曲げた場合を想定する。この場合、光ファイバケーブル１の曲げ外側（Ｏｕｔ側）には引張力が、曲げ内側（Ｉｎ側）には圧縮力が作用する。したがって、曲げ外側（Ｏｕｔ側）に位置する抗張力体３の束３１、３２、３３は、引張力に抵抗して抗張力性を発揮する一方、曲げ内側（Ｉｎ側）に位置する抗張力体３の束３５、３６、３７は、圧縮力に抵抗せず座屈することとなる。このため、図３に模式的に示すように、ケーブル断面Ｓにおける曲げ歪みの中立面Ｎが、ケーブル断面Ｓの中心を通る直線ＣＬ１よりも曲げ外側（Ｏｕｔ側）に変位する。これにより、光ファイバ心線２のケーブル断面Ｓ内の位置は、曲げ歪みの中立面Ｎより曲げ内側（Ｉｎ側）に位置することになり、光ファイバ心線２に引張力が作用することが防がれる。これにより、光ファイバケーブル１の曲げによるガラス部分２１の外径表面２１１の伸び歪みが軽減され、光ファイバケーブル１の破断や信頼性低下のリスクを軽減できる。
【００３８】
以上説明したように、本実施形態に係る光ファイバケーブル１は、光ファイバ心線２と、光ファイバ心線２の延在方向と同方向に延在するように並べられた少なくとも一対の抗張力体３と、光ファイバ心線２及び一対の抗張力体３を被覆する外被４と、を備え、抗張力体３は、複数の高強度繊維の束３１〜３７を撚り合わせた撚り線により構成され、一対の抗張力体３は、延在方向と直交するケーブル断面Ｓにおいて光ファイバ心線２を挟むように配置され、抗張力体３を構成する撚り線は、圧縮により座屈するように形成されている。
【００３９】
こうした本実施形態の光ファイバケーブル１によれば、光ファイバケーブル１が小径に曲げられたとき、抗張力体３の束３５〜３７は曲げ歪みの中立面Ｎの曲げ内側（Ｉｎ側）で座屈し、抗張力体３の束３１〜３３は、曲げ歪みの中立面Ｎの曲げ外側（Ｏｕｔ側）の部分において抗張力機能を発揮する。このため、抗張力体３は、曲げ癖がつかず、破損もしない。これにより、小径で曲げても曲げ癖がつかず、破損もしない信頼性の高い光ファイバケーブル１を提供することができる。
【００４０】
また、本実施形態に係る光ファイバケーブル１において、抗張力体３を外被４に固定する接着層３８を有しているので、抗張力体３は接着層３８を介して外被４の変形に追従する。このため、抗張力体３は抗張力性を発揮し易くなる。したがって、強度の高い光ファイバケーブル１を実現できる。
【００４１】
また、本実施形態に係る光ファイバケーブル１において、光ファイバ心線２は、ガラス部分２１を含み、ケーブル断面Ｓは、短手方向Ａと長手方向Ｂを有する形状に構成され、抗張力体３の少なくとも一部（部分３９）は、ガラス部分２１の外径表面２１１に比べて、ケーブル断面Ｓの中心Ｃを通る長手方向Ｂに延びる直線ＣＬ１からの短手方向Ａの距離Ｄ１が大きい位置に配置されている。このため、抗張力体３の一部（部分３９）を、ケーブル断面Ｓの曲げ歪みの中立面Ｎより光ファイバ心線２の曲げ外側（Ｏｕｔ側）に配置させて、この一部（部分３９）に抗張力性を発揮させることができる。これにより、光ファイバケーブル１の曲げによる光ファイバ心線２のガラス部分２１の外径表面２１１の伸び歪みを軽減し、光ファイバケーブル１の破断や信頼性低下のリスクを軽減できる。
【００４２】
また、本実施形態に係る光ファイバケーブル１において、抗張力体３と光ファイバ心線２とは、その中心が長手方向Ｂに一列となるように配列され、抗張力体３の外形寸法Ｄ３は、ガラス部分２１の外形寸法Ｄ４より大きい。このため、抗張力体３の一部（部分３９）を、ケーブル断面Ｓの曲げ歪みの中立面Ｎより光ファイバ心線２の曲げ外側（Ｏｕｔ側）に配置させる構造を好適に実現できる。
【００４３】
また、本実施形態に係る光ファイバケーブル１は、光ファイバ心線２を外被４に固定する接着層２４を有している。低温環境下においては、樹脂である外被４は大きく収縮し、接着層２４も外被４の収縮に追従する。このとき、光ファイバ心線２には、その延在する方向（光ファイバケーブルの光軸方向）に圧縮力がかかるが、接着層２４により、光ファイバ心線２が蛇行するような外被４と光ファイバ心線２の間の隙間が無い。このため、光ファイバ心線２が座屈することが防がれる。
【００４４】
なお、外被４を手で引き裂いて光ファイバ心線２を取り出す作業を容易にするために、図４に示すように、外被４の外周に、ノッチ５を形成した光ファイバケーブル１Ａとしてもよい。
【００４５】
（第二実施形態）
次に、本発明の第二実施形態を説明する。なお、第一実施形態と同一または同等の部分については、図面に同一符号を付してその説明を省略あるいは簡略化する。
【００４６】
図５は、二対の抗張力体３Ａ、３Ｂが設けられた光ファイバケーブル１Ｂのケーブル断面Ｓの構成を示す図である。図５に示すように、抗張力体３Ａは、光ファイバ心線２の中心軸ＣＬ２を含み長手方向Ｂに延在する仮想平面Ｐの一方の側に位置している。また、抗張力体３Ｂは、仮想平面Ｐの他方の側に位置している。Ｄ５は抗張力体３Ａの外形寸法、Ｄ６は抗張力体３Ｂの外形寸法である。
【００４７】
次に本実施形態の作用を説明する。
抗張力体３Ａ、３Ｂを図５に示す配置とすることにより、光ファイバケーブル１Ｂの曲げ内側（Ｉｎ側）と曲げ外側（Ｏｕｔ側）にバランスよく一対ずつ抗張力体３Ａ、３Ｂを配置することができる。これにより、直線状の光ファイバケーブル１Ｂを図２のように曲げた場合、光ファイバケーブル１Ｂの曲げ外側（Ｏｕｔ側）には引張力が、曲げ内側（Ｉｎ側）には圧縮力が作用するので、曲げ外側（Ｏｕｔ側）に位置する一対の抗張力体３Ａが抗張力性を発揮する一方、曲げ内側（Ｉｎ側）に位置する一対の抗張力体３Ｂは座屈する。したがって、図６に示すように、光ファイバケーブル１Ｂの曲げ歪みの中立面Ｎは、光ファイバ心線２の中心軸ＣＬ２よりも曲げ外側（Ｏｕｔ側）に移動する。このとき、光ファイバ心線２はその全体が曲げ内側（Ｉｎ側）に位置するので、光ファイバ心線２への伸縮歪みを低減させることができる。
【００４８】
また、二対の抗張力体３Ａ、３Ｂが設けられた光ファイバケーブル１Ｂによれば、曲げ歪みの中立面Ｎは、一対のみの抗張力体３が設けられた光ファイバケーブル１における曲げ歪みの中立面Ｎに比べて、ケーブル断面Ｓにおいて曲げ外側（Ｏｕｔ側）に大きく移動し易い。このため、抗張力体３Ａの外形寸法Ｄ５および抗張力体３Ｂの外形寸法Ｄ６は、一対の抗張力体３のみを備えた光ファイバケーブル１における抗張力体３の外形寸法Ｄ３（図１参照）よりも小さくすることができ、抗張力体３Ａ、３Ｂの各抗張力体を細くすることができる。これにより、光ファイバケーブル１Ｂの低コスト化が実現できる。
【００４９】
なお、図７に示すように、外被４の外周に、ノッチ５を形成した光ファイバケーブル１Ｃとしてもよい。
【００５０】
（第三実施形態）
光ファイバケーブルの外被の形状は、図１〜図７に示す形状に限らない。以下、外被の形状の変形例について説明する。なお、第一実施形態または第二実施形態と同一または同等の部分については、図面に同一符号を付してその説明を省略あるいは簡略化する。
【００５１】
図８に示すように、ケーブル断面Ｓにおいて、光ファイバケーブル１Ｄの外被４Ａの外形は扁平な楕円形状とされている。
【００５２】
外被４Ａの外形が楕円形状とされている（ケーブル断面が扁平な形状とされている）ことにより、ケーブル断面が正円である従来の光ファイバケーブルに比べて、外被材料の使用量を削減することができ、光ファイバケーブル１Ｄの低コスト化が実現できる。
【００５３】
なお、図９に示すように、外被４Ａの外周に、ノッチ５を形成した光ファイバケーブル１Ｅとしてもよい。
【００５４】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００５５】
上記した実施形態では、光ファイバ心線２が四本設けられた例を説明したが、光ファイバ心線２の本数は四本に限られず、任意の本数とすることができる。
【００５６】
また、上記した実施形態では、トレンチを有する光ファイバ心線２を説明したが、光ファイバ心線２の構成は上記例示に限らない。光ファイバ心線２は、トレンチを有しない構成としてもよい。
【００５７】
また、上記した実施形態では、各抗張力体３が７束の高強度繊維で構成される例を説明したが、抗張力体３を構成する高強度繊維は７束に限らず、他の本数で構成するようにしてもよい。
【符号の説明】
【００５８】
１、１Ａ、１Ｂ、１Ｃ、１Ｄ、１Ｅ  光ファイバケーブル
２  光ファイバ心線
３、３Ａ、３Ｂ  抗張力体
４、４Ａ  外被
５  ノッチ
２１  ガラス部分
２２  被覆層
２４  接着層
３１、３２、３３、３４、３５、３６、３７  束
３８  接着層
２１１  外径表面
Ａ  短手方向
Ｂ  長手方向
Ｃ  中心
ＣＬ１  直線
ＣＬ２  中心軸
Ｎ  中立面
Ｐ  仮想平面
Ｓ  ケーブル断面
【図１】
2019211585.tif 000003
【図２】
2019211585.tif 000004
【図３】
2019211585.tif 000005
【図４】
2019211585.tif 000006
【図５】
2019211585.tif 000007
【図６】
2019211585.tif 000008
【図７】
2019211585.tif 000009
【図８】
2019211585.tif 000010
【図９】
2019211585.tif 000011